【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
異種のモノのインターネット(IoT)デバイス間のコンテキストアウェア動作を可能にするための方法であって、
IoTデバイスにおいて、IoTネットワーク内のIoTデバイスの第1のセットの各々のコンテキストを表すデータを受信するステップと、
前記IoTデバイスにおいて、前記IoTネットワーク内のIoTデバイスの第2のセットの各々の現在の状態を表すデータを受信するステップと、
IoTデバイスの前記第1のセットの各々の前記コンテキストを表す、前記受信されたデータと、IoTデバイスの前記第2のセットの各々の前記現在の状態を表す、前記受信されたデータとに基づいて、前記IoTデバイスによって、ターゲットIoTデバイスにおいて実行するための動作を判断するステップと
を含む方法。
【請求項２】
IoTデバイスの前記第1のセットの各々の前記コンテキストを表す前記データが、IoTデバイスの前記第1のセットの各々のプロファイルを表すデータを含み、IoTデバイスの前記プロファイルが、前記IoTデバイスのスキーマ要素および対応する値を含む、請求項1に記載の方法。
【請求項３】
前記スキーマ要素が前記IoTデバイスを記述する属性を含む、請求項2に記載の方法。
【請求項４】
前記スキーマ要素が、前記IoTデバイスに関連付けられた識別子、型、モデル、時間、位置、ステータス、イベント、関連性リスト、関連性ランク、または相互依存性のうちの1つもしくは複数を含む、請求項3に記載の方法。
【請求項５】
IoTデバイスの前記第2のセットの各々の前記現在の状態を表す前記データが、IoTデバイスの前記第2のセットの各々のスキーマ要素を表すデータを含む、請求項1に記載の方法。
【請求項６】
IoTデバイスの前記現在の状態が、前記IoTデバイスの1つまたは複数のスキーマ要素の現在の値を含む、請求項5に記載の方法。
【請求項７】
IoTデバイスの前記第1のセット内の各IoTデバイスの関連性ランクを判断するステップ
をさらに含み、
実行するための前記動作を判断する前記ステップが、IoTデバイスの前記第1のセットの各々の前記コンテキストを表す、前記受信されたデータと、IoTデバイスの前記第2のセットの各々の前記現在の状態を表す、前記受信されたデータと、前記判断された関連性ランクとに基づいて、前記ターゲットIoTデバイスにおいて実行するための前記動作を判断するステップを含む
請求項1に記載の方法。
【請求項８】
前記IoTデバイスが前記ターゲットIoTデバイスを含む、請求項1に記載の方法。
【請求項９】
前記IoTデバイスが、IoTデバイスの前記第1のセットの各々の前記コンテキストを表す前記データをIoTデバイスの前記第1のセットから受信し、IoTデバイスの前記第2のセットの各々の前記現在の状態を表す前記データをIoTデバイスの前記第2のセットから受信する、請求項1に記載の方法。
【請求項１０】
前記IoTデバイスが、IoTデバイスの前記第1のセットの各々の前記コンテキストを表す前記データと、IoTデバイスの前記第2のセットの各々の前記現在の状態を表す前記データとを前記IoTネットワーク用のサーバから受信する、請求項1に記載の方法。
【請求項１１】
前記IoTネットワーク用のサーバが、前記コンテキストを表す前記データを受信する前記ステップと、前記現在の状態を表す前記データを受信する前記ステップと、実行するための前記動作を判断する前記ステップとを実行する、請求項1に記載の方法。
【請求項１２】
前記IoTネットワーク内の第2のIoTデバイスが、IoTデバイスの前記第1のセットの各々の前記コンテキストを表す前記データを受信し、IoTデバイスの前記第2のセットの各々の前記現在の状態を表す前記データを受信し、IoTデバイスの前記第1のセットの各々の前記コンテキストを表す前記受信されたデータと、IoTデバイスの前記第2のセットの各々の前記現在の状態を表す前記受信されたデータとに基づいて、前記ターゲットIoTデバイスにおいて実行するための異なる動作を判断する、請求項1に記載の方法。
【請求項１３】
異種のモノのインターネット(IoT)デバイス間のコンテキストアウェア動作を可能にするための装置であって、
IoTデバイスにおいて、IoTネットワーク内のIoTデバイスの第1のセットの各々のコンテキストを表すデータを受信するように構成された論理と、
前記IoTデバイスにおいて、前記IoTネットワーク内のIoTデバイスの第2のセットの各々の現在の状態を表すデータを受信するように構成された論理と、
IoTデバイスの前記第1のセットの各々の前記コンテキストを表す、前記受信されたデータと、IoTデバイスの前記第2のセットの各々の前記現在の状態を表す、前記受信されたデータとに基づいて、前記IoTデバイスによって、ターゲットIoTデバイスにおいて実行するための動作を判断するように構成された論理と
を含む装置。
【請求項１４】
IoTデバイスの前記第1のセットの各々の前記コンテキストを表す前記データが、IoTデバイスの前記第1のセットの各々のプロファイルを表すデータを含み、IoTデバイスの前記プロファイルが、前記IoTデバイスのスキーマ要素および対応する値を含む、請求項13に記載の装置。
【請求項１５】
前記スキーマ要素が前記IoTデバイスを記述する属性を含む、請求項14に記載の装置。
【請求項１６】
前記スキーマ要素が、前記IoTデバイスに関連付けられた識別子、型、モデル、時間、位置、ステータス、イベント、関連性リスト、関連性ランク、または相互依存性のうちの1つもしくは複数を含む、請求項15に記載の装置。
【請求項１７】
IoTデバイスの前記第2のセットの各々の前記現在の状態を表す前記データが、IoTデバイスの前記第2のセットの各々のスキーマ要素を表すデータを含む、請求項13に記載の装置。
【請求項１８】
IoTデバイスの前記現在の状態が、前記IoTデバイスの1つまたは複数のスキーマ要素の現在の値を含む、請求項17に記載の装置。
【請求項１９】
IoTデバイスの前記第1のセット内の各IoTデバイスの関連性ランクを判断するように構成された論理
をさらに含み、
実行するための前記動作を判断するように構成された前記論理が、IoTデバイスの前記第1のセットの各々の前記コンテキストを表す、前記受信されたデータと、IoTデバイスの前記第2のセットの各々の前記現在の状態を表す、前記受信されたデータと、前記判断された関連性ランクとに基づいて、前記ターゲットIoTデバイスにおいて実行するための前記動作を判断するように構成された論理を含む
請求項13に記載の装置。
【請求項２０】
前記IoTデバイスが前記ターゲットIoTデバイスを含む、請求項13に記載の装置。
【請求項２１】
前記IoTデバイスが、IoTデバイスの前記第1のセットの各々の前記コンテキストを表す前記データをIoTデバイスの前記第1のセットから受信し、IoTデバイスの前記第2のセットの各々の前記現在の状態を表す前記データをIoTデバイスの前記第2のセットから受信する、請求項13に記載の装置。
【請求項２２】
前記IoTデバイスが、IoTデバイスの前記第1のセットの各々の前記コンテキストを表す前記データと、IoTデバイスの前記第2のセットの各々の前記現在の状態を表す前記データとを前記IoTネットワーク用のサーバから受信する、請求項13に記載の装置。
【請求項２３】
前記装置が前記IoTネットワーク用のサーバを含む、請求項13に記載の装置。
【請求項２４】
前記装置が前記IoTネットワーク内の第2のIoTデバイスを含む、請求項13に記載の装置。
【請求項２５】
異種のモノのインターネット(IoT)デバイス間のコンテキストアウェア動作を可能にするための装置であって、
IoTデバイスにおいて、IoTネットワーク内のIoTデバイスの第1のセットの各々のコンテキストを表すデータを受信するための手段と、
前記IoTデバイスにおいて、前記IoTネットワーク内のIoTデバイスの第2のセットの各々の現在の状態を表すデータを受信するための手段と、
IoTデバイスの前記第1のセットの各々の前記コンテキストを表す、前記受信されたデータと、IoTデバイスの前記第2のセットの各々の前記現在の状態を表す、前記受信されたデータとに基づいて、前記IoTデバイスによって、ターゲットIoTデバイスにおいて実行するための動作を判断するための手段と
を含む装置。
【請求項２６】
異種のモノのインターネット(IoT)デバイス間のコンテキストアウェア動作を可能にするための非一時的コンピュータ可読媒体であって、
IoTデバイスにおいて、IoTネットワーク内のIoTデバイスの第1のセットの各々のコンテキストを表すデータを受信するための少なくとも1つの命令と、
前記IoTデバイスにおいて、前記IoTネットワーク内のIoTデバイスの第2のセットの各々の現在の状態を表すデータを受信するための少なくとも1つの命令と、
IoTデバイスの前記第1のセットの各々の前記コンテキストを表す、前記受信されたデータと、IoTデバイスの前記第2のセットの各々の前記現在の状態を表す、前記受信されたデータとに基づいて、前記IoTデバイスによって、ターゲットIoTデバイスにおいて実行するための動作を判断するための少なくとも1つの命令と
を含む非一時的コンピュータ可読媒体。